(57)【要約】【課題】従来、屋内側でトイレを合流させると、管路内に負圧が発生して各排水設備の封水破壊を生じていた。また、この負圧発生を低コストで防ぐことが困難であった。【解決手段】建物の床下において、建物内の各排水設備からの排水を複数の枝管を介して集水ヘッダ１に集水し、該集水ヘッダ１から排水主管４を介して屋外の排水マス５へ排水するにあたり、該集水ヘッダ１に接続される上流側排水主管４ａと該屋外の排水マス５に接続される下流側排水主管４ｂとの間に落差を設け、４５度Ｙ継手３を介在させて４５度に傾斜した流路および落差を形成し、又は４５度Ｙ継手の上流側で４５度エルボ継手２個を接続して上下４５度に傾斜させて流路および落差を形成し、該４５度Ｙ継手３のいずれかの接続部にトイレ汚水を建物基礎Ａの屋内側で配管接続し、下流側排水主管４ｂが建物の基礎Ａを貫通して屋外の排水マス５へ至る構成とした。【選択図】      図１
2008144355.tif 000002
【特許請求の範囲】
【請求項１】
建物の床下において配管される床下排水配管システムであって、建物内の各排水設備からの排水を複数の枝管を介して集水ヘッダに集水し、該集水ヘッダから排水主管を介して屋外の排水マスへ排水するにあたり、該集水ヘッダに接続される上流側排水主管と該屋外の排水マスに接続される下流側排水主管との間に、４５度Ｙ継手を介在させて、４５度に傾斜した流路および落差を形成し、該４５度Ｙ継手のいずれかの接続部にトイレ汚水を建物基礎の屋内側で配管接続し、下流側排水主管が建物の基礎を貫通して屋外の排水マスへ排水することを特徴とする床下排水配管システム。
【請求項２】
建物の床下において配管される床下排水配管システムであって、建物内の各排水設備からの排水を複数の枝管を介して集水ヘッダに集水し、該集水ヘッダから排水主管を介して屋外の排水マスへ排水するにあたり、該集水ヘッダに接続される上流側排水主管と該屋外の排水マスに接続される下流側排水主管との間に、４５度Ｙ継手の上流側で４５度エルボ継手２個を接続して上下４５度に傾斜させて流路および落差を形成し、４５度Ｙ継手を介在させて、該４５度Ｙ継手のいずれかの接続部にトイレ汚水を建物基礎の屋内側で配管接続し、下流側排水主管が建物の基礎を貫通して屋外の排水マスへ排水することを特徴とする床下排水配管システム。
【請求項３】
建物の屋内および屋外に通気構造を別途に設けることなく排水配管することを特徴とする請求項１又は２記載の床下排水配管システム。
【発明の詳細な説明】
【技術分野】
【０００１】
本発明は建物の床下に排水される配管システムに関する。より詳しくは、台所、風呂場、洗濯機、洗面所、手洗い等の屋内排水器具から排出される雑排水や、トイレから排出される汚水等を、建物の床下の配管から建物の基礎を貫通して屋外の排水マスに導き、更に公共マスへ排水する床下排水配管マスシステムに関する。
【背景技術】
【０００２】
従来、戸建住宅や小規模集合住宅の屋内等で生じる排水は、台所、風呂場、洗濯機、洗面所、手洗い、トイレ等の屋内排水器具から排水管を介して屋外の排水マスへそれぞれ排水されていた。しかし、このような配管では建物の基礎を貫通する貫通孔をその数だけ開けることとなり基礎の強度低下という問題を抱えたいた。そこで、トイレ、洗面所、洗濯機、浴室、台所などの各種排水器具にて発生した排水を、ヘッダー（５個の９０度大曲りＹ継手を管軸方向に短管を介して接着接続して構成されている）に集めてそこから排水主管を介して屋外の排水マスへ排水され、公共マスへと排水される排水システムが知られている。（特開２００２−６１２４７号）
【０００３】
また、前記排水器具からの排水を排水枝管を介して集合マスに集水して、排水主管の下流側をバイパス管路付段差接合管路を介して屋外の排水マスへ排水され、公共マスへと排水される排水用床下配管設備が知られている。（特開２００３−１４７８２６号）
上記特許文献では、一度に流入する排水が合流して管内に負圧を発生させないようにするため、通気弁やバイパス通気管を設けたり、内周面に螺旋状の案内板を形成した継手を介在させたり、排水主管を偏芯して接続したり、特別な継手を使用したり、などして、各排水器具での封水破壊が生じないようにしている。
【０００４】
しかしながら、従来の施工では、通気弁やバイパス通気管を設けたり、内周面に螺旋状の案内板を形成した継手を介在させたり、排水主管を偏芯して接続したり、特別な継手を使用したりなどしているので、通気弁や特殊な継手が必要であり、別途にその配管工事をしなければならず、しかも、トイレ汚水の配管は別途にしなければならないなど、工事に手間を要し、施工に時間がかかる、引いてはコストアップに繋がるという不具合が生じていた。
【特許文献１】特開２００２−６１２４７号公報
【特許文献２】特開２００３−１４７８２６号公報
【発明の開示】
【発明が解決しようとする課題】
【０００５】
本発明は、上記の不具合を解消するため鋭意検討の結果、従来から使用されている継手を用い、屋内側でトイレを合流させても、管路内に負圧を発生させることなく、各排水設備の封水破壊を防止し、施工工事が簡単で少ない時間で工事をおえることが出来、トータルコストを削減できる床下排水配管システムの提供を課題とする。
【課題を解決するための手段】
【０００６】
上記課題を達成するための本発明の床下配管排水システムは、建物の床下において配管される床下排水配管システムであって、建物内の各排水設備からの排水を複数の枝管を介して集水ヘッダに集水し、該集水ヘッダから排水主管を介して屋外の排水マスへ排水するにあたり、該集水ヘッダに接続される上流側排水主管と該屋外の排水マスに接続される下流側排水主管との間に、４５度Ｙ継手を介在させて、４５度に傾斜した流路および落差を形成し、該４５度Ｙ継手の接続部にトイレ汚水を建物基礎の屋内側で配管接続し、下流側排水主管が建物の基礎を貫通して屋外の排水マスへ排水することを特徴とする床下排水配管システムである。
また、建物の床下において配管される床下排水配管システムであって、建物内の各排水設備からの排水を複数の枝管を介して集水ヘッダに集水し、該集水ヘッダから排水主管を介して屋外の排水マスへ排水するにあたり、該集水ヘッダに接続される上流側排水主管と該屋外の排水マスに接続される下流側排水主管との間に、４５度Ｙ継手の上流側で４５度エルボ継手２個を接続して上下４５度に傾斜させて流路および落差を形成し、４５度Ｙ継手を介在させて、該４５度Ｙ継手の接続部にトイレ汚水を建物基礎の屋内側で配管接続し、下流側排水主管が建物の基礎を貫通して屋外の排水マスへ排水することを特徴とする床下排水配管システムである。
さらに、建物の屋内および屋外に通気構造を別途に設けることなく排水配管することを特徴とする床下排水配管システムである。
【０００７】
本発明に係る集水ヘッダは、特開２００３−１４７８２６号公報に示す空気アキュムレータの機能をもった集水マスあるいは単に複数の枝管接続部を有する集水マス、または特開２００２−６１２４７号公報、特開２００６−７７５２８号公報、２００６−１６７７９号公報、特開２００６−１６７８０号公報に示すヘッダあるいは筒状体の周囲に複数の枝管接続部を有するヘッダのいずれのものでもよい。
【０００８】
本発明に係る集水ヘッダ、排水主管、継手等は、硬質塩化ビニル製が望ましく、枝管は、ポリエチレン、ポリプロピレン等のオレフィン樹脂製の可とう管（コルゲート管）が望ましい。
【発明の効果】
【０００９】
本発明の床下排水配管システムによれば、４５度Ｙ継手を用いることで４５度に傾斜した流路と落差を形成でき、エルボ継手を用いるだけでトイレ汚水が簡単に配管でき、建物の基礎Ａの近傍の位置で配管できるので建物の基礎Ａに沿わせて配管が可能であり、建物の基礎を貫通する貫通孔は一つで良いので建物の基礎を弱体化させる恐れもない。また、４５度Ｙ継手の接続方向を工夫するだけで、トイレからの配管に合わせて接続位置を選択することができ、接続工事を簡単にすることができる
また、汎用の４５度Ｙ継手やエルボ継手だけを用いて工事ができ、特殊な継手や通気弁を設ける必要もなくなるので工事が簡単で手間がかからず、工事費が安く、施工コストを節約できる。
さらに、トイレ汚水をスムーズに合流して流すことができ、上流側に負圧を発生させることもなく、各排水設備器具の封水破壊も防止することができる。
【発明を実施するための最良の形態】
【００１０】
以下の図面を参照して、本発明に係る実施形態について説明する。
図１乃至図１５は、本発明の実施形態に係る床下排水配管システムの配管状態を示す図である。図１乃至図３は実施例１図であり、図１は実施例１のＡ−Ａ断面図、図２は実施例１の平面図、図３は実施例１のＢ−Ｂ断面図である。図４乃至図６は実施例２の図であり、図４は実施例２のＡ−Ａ断面図、図５は実施例２の平面図、図６は実施例２のＢ−Ｂ断面図である。図７乃至図９は実施例３の図であり、図７は実施例３のＡ−Ａ断面図、図８は実施例３の平面図、図９は実施例３のＢ−Ｂ断面図である。図１０乃至図１２は実施例４の図であり、図１０は実施例４のＡ−Ａ断面図、図１１は実施例４の平面図、図１２は実施例４のＢ−Ｂ断面図である。図１３乃至図１５は実施例５の図であり、図１３は実施例５のＡ−Ａ断面図、図１４は実施例５の平面図、図１５は実施例５のＢ−Ｂ断面図である。
図中、１は複数の枝管接続部と一つの排水主管接続部を有する集水マスであり、２は枝管でオレフィン樹脂製の可とう管（コルゲート管ともいう）であり、３は硬質塩化ビニル製の４５度Ｙ継手（下水排水に汎用されているＤＶ継手）である。４は排水主管であり、４ａは上流側排水主管、４ｂは下流側排水主管、５は屋外排水マス、６は屋外排水管、７はトイレからの管路であるトイレ汚水排水管である。
【実施例１】
【００１１】
第１の実施形態を図１乃至図３を参照して説明する。
複数の枝管接続部１ａ，１ｂ，１ｃ，１ｄ，１ｅと排水主管接続部１ｆとを有する集水マス１に、建物内の各排水設備（図示しない）からの枝管２がそれぞれ接続され、排水主管接続部１ｆに上流側排水主管４ａが接続されている。上流側排水主管４ａの下流は４５度エルボ継手を介して４５度Ｙ継手３の上流側接続部３ａに接続され、４５度Ｙ継手３の下流側接続部３ｂは４５度エルボ継手を介して下流側排水主管４ｂに接続され、下流側排水主管４ｂが建物の基礎Ａを貫通して９０度エルボ継手や短管等を介して屋外排水マス５に接続されている。そして、４５度Ｙ継手３の枝管接続部３ｃにトイレからのトイレ汚水排水管７が９０度エルボ継手等を介して接続されている。屋外排水マス５には公共マスに通じている屋外排水管６が接続されている。
【００１２】
建物の基礎Ａの屋内側近傍で、上流側排水主管４ａと下流側排水主管４ｂとに落差を設け、４５度Ｙ継手３を上流側接続部３ａと下流側接続部３ｂとが上下に４５度の傾斜でかつ枝管接続部３ｃが水平方向になるように配置し、上流側排水主管４ａが４５度Ｙ継手３の上流側接続部３ａと下流側排水主管４ｂが４５度Ｙ継手３の下流側接続部３ｂとを４５度エルボ継手を介して接続し、４５度Ｙ継手３の流路が４５度に傾斜してかつ落差をもって接続され、４５度Ｙ継手３の枝側接続部３ｃにトイレからのトイレ汚水排水管７がエルボ継手を介して水平方向に後方側から雑排水の流れに合流するよう配管されている。
従って、トイレ汚水が上流側排水主管４ａに逆流することなく、また雑排水とトイレ汚水が合流しても上流側に負圧が発生することなく、屋内の各排水設備器具での封水破壊を防止できると共に、下流側へスムースに流れる。
【実施例２】
【００１３】
第２の実施形態を図４乃至図６を参照して説明する。
図に示すように第２の実施形態は４５度Ｙ継手の枝側接続部３ｃが４５度上方へ向きになるように配置されて４５度エルボ継手を介して上流側排水主管４ａと接続され、４５度Ｙ継手の下流側接続部３ｂが下流側排水主管４ｂと接続され、上流側排水主管４ａと下流側排水主管４ｂとに落差と４５度に傾斜する流路を確保している。そして、４５度Ｙ継手の上流側接続部３ａが複数の９０度エルボ継手等を介してトイレ汚水排水管７と接続されている。
４５度Ｙ継手の上流側接続部３ａと４５度Ｙ継手の下流側接続部３ｂがほぼ水平になるように縦方向に配置して４５度Ｙ継手の下流側接続部３ｂと下流側排水主管４ｂとの間に使用する４５度エルボ継手を省くことによりトイレ汚水排水管７を建物の基礎Ａに沿わせて配管する事ができる。他は実施例１と同様である。
【実施例３】
【００１４】
第３の実施形態を図７乃至図９を参照して説明する。
図に示すように第３の実施形態は、４５度Ｙ継手の上流側接続部３ａが４５度エルボ継手を介して上流側排水主管４ａと接続され、４５度Ｙ継手の下流側接続部３ｂが４５度エルボ継手を介して下流側排水主管４ｂと接続され、４５度Ｙ継手の枝側接続部３ｃが９０度エルボ継手を介してトイレ汚水排水管７と接続されている。このように４５度Ｙ継手を配置して配管するとトイレ汚水排水管７を建物の基礎Ａに沿わせて配管することができ、また４５度Ｙ継手の枝側接続部３ｃがベタ基礎Ａの表面から突出しているのでトイレ汚水排水管をベタ基礎工事の後で施工することもできる。更に９０度エルボ継手の首を振ることによりトイレ汚水排水管７の角度を合わせたり、あるいは図の反対側からのトイレ配管にも対応できる。他は実施例１と同様である。
【実施例４】
【００１５】
第４の実施形態を図１０乃至図１２を参照して説明する。
図に示すように第４の実施形態は、４５度Ｙ継手を横方向（水平方向）に配置し、４５度Ｙ継手３の上流側で４５度エルボ継手２個を接続して上下４５度に傾斜させて落差を形成し、該４５度エルボ継手の上流側が上流側排水主管４ａと接続され、該４５度エルボ継手の下流側が４５度Ｙ継手３の上流側接続部３ａと接続され、４５度Ｙ継手３の下流側接続部３ｂが下流側排水主管４ｂと接続されている。そして、４５度Ｙ継手３の枝側接続部３ｃが４５度エルボ継手を介してトイレ汚水排水管７と接続されている。
なお、４５度エルボ継手２個の接続は、両受エルボ２個を短管で接続するか、片受エルボ２個を接続するか、両受エルボ１個と片受エルボ１個を接続してもよい。
トイレ汚水排水管７（図示しない）が建物の基礎Ａから離れた方向からきたときは、４５度Ｙ継手の枝側接続部３ｃに直接接続してもよく、また、図の反対の方向からトイレ汚水排水管７（図示しない）がきたときは、４５度Ｙ継手を反転させて接続することができる。
このように建物の基礎Ａに沿わせて配管することも、建物の基礎Ａから離れた位置で配管することも、反対側からの配管にも対応でき、トイレ汚水配管に自由度がある。他は実施例１と同様である。
【実施例５】
【００１６】
第５の実施形態を図１３乃至図１５を参照して説明する。
図に示すように第５の実施形態は、４５度Ｙ継手３の枝側接続部３ｃが４５度上方へ向き、４５度Ｙ継手３の上流側接続部３ａと４５度Ｙ継手３の下流側接続部３ｂがほぼ水平になるように縦方向に配置され、４５度Ｙ継手３の上流側で４５度エルボ継手２個を接続して上下４５度に傾斜させて落差を形成し、該４５度エルボ継手の上流側と上流側排水主管４ａとが接続され、該４５度エルボ継手の下流側と４５度Ｙ継手の上流側接続部３ａとが接続され、４５度Ｙ継手３の下流側接続部３ｂが下流側排水主管４ｂと接続されている。そして、４５度Ｙ継手３の枝側接続部３ｃが９０度エルボ継手を介してトイレ汚水排水管７と接続されている。他は実施例５と同様である。
【００１７】
上記実施例１から５は、屋内側配管及び屋外側配管を同径で説明してるが、これに限定されるものではない。例えば、屋内側配管の口径を呼び径で７５ｍｍのパイプを使用し、下流側排水主管４ｂと接続されるパイプを異径エルボ継手を介在させて屋外側の配管を呼び径で１００ｍｍのパイプを使用してもよい。
【図面の簡単な説明】
【００１８】
【図１】図２のＡ−Ａ線断面図である。
【図２】本発明に係る床下排水配管システムの第１実施形態を示す平面図である。
【図３】図２のＢ−Ｂ線断面図である。
【図４】図５のＡ−Ａ線断面図である。
【図５】本発明に係る床下排水配管システムの第２実施形態を示す平面図である。
【図６】図５のＢ−Ｂ線断面図である。
【図７】図８のＡ−Ａ線断面図である。
【図８】本発明に係る床下排水配管システムの第３実施形態を示す平面図である。
【図９】図８のＢ−Ｂ線断面図である。
【図１０】図１１のＡ−Ａ線断面図である。
【図１１】本発明に係る床下排水配管システムの第４実施形態を示す平面図である。
【図１２】図１１のＢ−Ｂ線断面図である。
【図１３】図１４のＡ−Ａ線断面図である。
【図１４】本発明に係る床下排水配管システムの第５実施形態を示す平面図である。
【図１５】図１４のＢ−Ｂ線断面図である。
【符号の説明】
【００１９】
１              集水ヘッダ
１ａ〜ｅ        枝管接続部
１ｆ            排水主管接続部
２              枝管
３              ４５度Ｙ継手
３ａ            ４５度Ｙ継手の上流側接続部
３ｂ            ４５度Ｙ継手の下流側接続部
３ｃ            ４５度Ｙ継手の枝側接続部
４              排水主管
４ａ            上流側排水主管
４ｂ            下流側排水主管
５              屋外排水マス
６              屋外排水管
７              トイレ汚水排水管
Ａ              建物の基礎（コンクリート製）
【図１】
2008144355.tif 000003
【図２】
2008144355.tif 000004
【図３】
2008144355.tif 000005
【図４】
2008144355.tif 000006
【図５】
2008144355.tif 000007
【図６】
2008144355.tif 000008
【図７】
2008144355.tif 000009
【図８】
2008144355.tif 000010
【図９】
2008144355.tif 000011
【図１０】
2008144355.tif 000012
【図１１】
2008144355.tif 000013
【図１２】
2008144355.tif 000014
【図１３】
2008144355.tif 000015
【図１４】
2008144355.tif 000016
【図１５】
2008144355.tif 000017